(57)【特許請求の範囲】
【請求項１】
店舗に配置された現金自動預払機（ＡＴＭ）と、前記ＡＴＭと通信可能である銀行のサーバとを有し、前記銀行の所定の口座への入金を受け付ける入金受付システムであって、
前記ＡＴＭが、
（ａ）このＡＴＭの表示装置に前記所定の口座への入金予定額の入力を要求する画面を表示させ、入力された前記入金予定額をこのＡＴＭのメモリに格納する手段と、
（ｂ）前記表示装置に紙幣の入金を要求する画面を表示させ、このＡＴＭの紙幣入金部に入金される紙幣の入金額を前記メモリに格納する手段と、
（ｃ）前記入金予定額と前記紙幣の入金額とを、この紙幣の入金について採番された紙幣入金番号と関連付けて前記銀行のサーバに送信する手段と、
（ｄ）前記入金予定額と前記紙幣の入金額との差から硬貨入金予定額を算出し、算出された前記硬貨入金予定額を前記紙幣入金番号と関連付けて硬貨入金予定額情報を作成し出力する手段であって、前記硬貨入金予定額情報は、前記店舗に設置されたＰＯＳ端末において行われる前記硬貨入金予定額の入金に用いられるものである、前記手段と
を有し、
前記銀行のサーバが、
（ｅ）前記ＰＯＳ端末に接続されたＰＯＳサーバから送信される硬貨入金情報を受け付けこのサーバが有するサーバ用メモリに格納する手段であって、この硬貨入金情報は、前記紙幣入金番号と関係付けられた情報と、前記硬貨入金予定額情報に対して前記ＰＯＳ端末に入金された硬貨の入金額とを含むものである、前記手段と、
（ｆ）入金データテーブルを作成し出力する手段であって、この入金データテーブルは、前記手段（ｃ）により送信される前記入金予定額および前記紙幣の入金額と、前記手段（ｅ）により受け付ける硬貨の入金額とを、前記紙幣入金番号に対応させて前記サーバ用メモリに格納するものである、前記手段と、
（ｇ）前記手段（ｃ）により送信される前記紙幣の入金額の情報を受け付け、受け付けた前記紙幣の入金額の情報によって前記銀行のサーバに格納された前記所定の口座の口座データを更新すると共に、前記ＰＯＳ端末内の金銭を入金するＰＯＳ用銀行口座から前記所定の口座への前記硬貨の入金額の振り込み情報を受け付け、その振り込み情報によって前記口座データを更新する手段と
を有する
ことを特徴とする入金受付システム。
【請求項２】
請求項１記載の入金受付システムにおいて、
このシステムはさらに、
（ｈ）前記ＡＴＭが、前記硬貨入金予定額と前記紙幣入金番号とを前記ＰＯＳサーバに送信する手段と、
（ｉ）前記ＰＯＳ端末が、前記手段（ｄ）で出力される前記硬貨入金予定額情報を受け付けると共に、前記硬貨入金予定額情報に対してこのＰＯＳ端末に入金される前記硬貨の入金額を受け付け、受け付けた前記硬貨の入金額を前記硬貨入金予定額情報と関連付けて前記ＰＯＳサーバに送信する手段と、
（ｊ）前記ＰＯＳサーバが、前記手段（ｈ）で送信されこのＰＯＳサーバで受け付ける前記硬貨入金予定額と、前記手段（ｉ）で送信されこのＰＯＳサーバで受け付ける前記硬貨の入金額とが一致しているか否かを判断し、一致している場合に前記硬貨入金情報を前記銀行のサーバに送信する手段と
を有する
ことを特徴とする入金受付システム。
【請求項３】
請求項１記載の入金受付システムにおいて、
前記銀行のサーバは口座契約マスタを有し、この口座契約マスタは硬貨による入金を可能にする硬貨入金契約の有無を契約者ごとに格納しているものであり、
このシステムは、
（ｋ）前記ＡＴＭが、そのカード挿入部に挿入される前記所定の口座の銀行カードのカード情報を前記銀行のサーバの前記口座契約マスタに照合し、前記カード情報が前記口座契約マスタの契約者データと一致し、且つ、その契約者データが前記硬貨入金契約を有する者である場合に、前記手段（ａ）〜（ｇ）を行うことを決定する手段
をさらに有する
ことを特徴とする入金受付システム。
【請求項４】
請求項１記載の入金受付システムにおいて、
このシステムは、前記店舗の売上金を前記所定の口座に入金するためのものであり、
前記手段（ｆ）は、前記店舗のコンピュータ又は前記店舗の売上金を管轄する会社のコンピュータから要求があると、前記銀行のサーバが前記入金データテーブルのデータを前記店舗のコンピュータ又は前記会社のコンピュータに送信するものである
ことを特徴とする入金受付方法。
【請求項５】
請求項１記載の入金受付システムにおいて、
前記手段（ｄ）は、
前記手段（ｃ）の送信の後に、前記ＰＯＳサーバが前記紙幣入金番号と関連付けて採番し前記ＡＴＭに送信する硬貨入金番号を受信する硬貨入金番号受信処理と、
前記硬貨入金番号受信処理で受信する硬貨入金番号を含む前記硬貨入金予定額情報を印刷により出力する印刷処理と
を行うものである
ことを特徴とする入金受付システム。
【請求項６】
請求項１記載の入金受付システムにおいて、
前記手段（ｃ）は、
前記ＡＴＭのカード挿入部に挿入される前記所定の口座の銀行カードのカード情報を読み取り前記銀行のサーバに送信するカード情報送信処理と、
前記カード情報送信処理の後に、前記銀行のサーバが採番して前記ＡＴＭに送信する前記紙幣入金番号を受信する紙幣入金番号受信処理と、
前記手段（ｂ）で入金される前記紙幣の入金額と、前記工程（ａ）で受け付ける前記入金予定額とを、前記紙幣入金番号受信処理で受信する前記紙幣入金番号と関連付けて前記銀行のサーバに送信する送信処理と
を行うものである
ことを特徴とする入金受付システム。
【請求項７】
店舗に配置された現金自動預払機（ＡＴＭ）と、前記ＡＴＭと通信可能である銀行のサーバとを用いて、前記銀行の所定の口座への入金を受け付ける入金受付方法であって、
前記ＡＴＭが、
（ａ）このＡＴＭの表示装置に前記所定の口座への入金予定額の入力を要求する画面を表示させ、入力された前記入金予定額をこのＡＴＭのメモリに格納する工程と、
（ｂ）前記表示装置に紙幣の入金を要求する画面を表示させ、このＡＴＭの紙幣入金部に入金される紙幣の入金額を前記メモリに格納する工程と、
（ｃ）前記入金予定額と前記紙幣の入金額とを、この紙幣の入金について採番された紙幣入金番号と関連付けて前記銀行のサーバに送信する工程と、
（ｄ）前記入金予定額と前記紙幣の入金額との差から硬貨入金予定額を算出し、算出された前記硬貨入金予定額を前記紙幣入金番号と関連付けて硬貨入金予定額情報を作成し出力する工程であって、前記硬貨入金予定額情報は、前記店舗に設置されたＰＯＳ端末において行われる前記硬貨入金予定額の入金に用いられるものである、前記工程と、
を行い、
前記銀行のサーバが、
（ｅ）前記ＰＯＳ端末に接続されたＰＯＳサーバから送信される硬貨入金情報を受け付けこのサーバが有するサーバ用メモリに格納する工程であって、この硬貨入金情報は、前記紙幣入金番号と関係付けられた情報と、前記硬貨入金予定額情報に対して前記ＰＯＳ端末に入金された硬貨の入金額とを含むものである、前記工程と、
（ｆ）入金データテーブルを作成し出力する工程であって、この入金データテーブルは、前記工程（ｃ）により送信された前記入金予定額および前記紙幣の入金額と、前記工程（ｅ）により受け付けた硬貨の入金額とを、前記紙幣入金番号に対応させて前記サーバ用メモリに格納するものである、前記工程と、
（ｇ）前記工程（ｃ）により送信された前記紙幣の入金額の情報を受け付け、受け付けた前記紙幣の入金額の情報によって前記銀行のサーバに格納された前記所定の口座の口座データを更新すると共に、前記ＰＯＳ端末内の金銭を入金するＰＯＳ用銀行口座から前記所定の口座への前記硬貨の入金額の振り込み情報を受け付け、その振り込み情報によって前記口座データを更新する工程と
を行う
ことを特徴とする入金受付方法。
【請求項８】
請求項７記載の入金受付方法において、
この方法はさらに、
（ｈ）前記ＡＴＭが、前記硬貨入金予定額と前記紙幣入金番号とを前記ＰＯＳサーバに送信する工程と、
（ｉ）前記ＰＯＳ端末が、前記工程（ｄ）で出力された前記硬貨入金予定額情報を受け付けると共に、前記硬貨入金予定額情報に対してこのＰＯＳ端末に入金された前記硬貨の入金額を受け付け、受け付けた前記硬貨の入金額を前記硬貨入金予定額情報と関連付けて前記ＰＯＳサーバに送信する工程と、
（ｊ）前記ＰＯＳサーバが、前記工程（ｈ）で送信されこのＰＯＳサーバで受け付けた前記硬貨入金予定額と、前記工程（ｉ）で送信されこのＰＯＳサーバで受け付けた前記硬貨の入金額とが一致しているか否かを判断し、一致している場合に前記硬貨入金情報を前記銀行のサーバに送信する工程と
を有する
ことを特徴とする入金受付方法。
【請求項９】
請求項７記載の入金受付方法において、
前記銀行のサーバは口座契約マスタを有し、この口座契約マスタは硬貨による入金を可能にする硬貨入金契約の有無を契約者ごとに格納しているものであり、
この方法は、
（ｋ）前記ＡＴＭが、そのカード挿入部に挿入される前記所定の口座の銀行カードのカード情報を前記銀行のサーバの前記口座契約マスタに照会し、前記カード情報が前記口座契約マスタの契約者データと一致し、且つ、その契約者データが前記硬貨入金契約を有する者である場合に、前記工程（ａ）〜（ｇ）を行うことを決定する工程
をさらに有する
ことを特徴とする入金受付方法。
【請求項１０】
請求項７記載の入金受付方法において、
この方法は、前記店舗の売上金を前記所定の口座に入金するために行われ、
前記工程（ｆ）では、前記店舗のコンピュータ又は前記店舗の売上金を管轄する会社のコンピュータから要求があると、前記銀行のサーバが前記入金データテーブルのデータを前記店舗のコンピュータ又は前記会社のコンピュータに送信する
ことを特徴とする入金受付方法。
【請求項１１】
請求項７記載の入金受付方法において、
前記工程（ｄ）では、
前記工程（ｃ）の後に、前記ＰＯＳサーバが前記紙幣入金番号と関連付けて採番し前記ＡＴＭに送信する硬貨入金番号を受信する硬貨入金番号受信処理と、
前記硬貨入金番号受信処理で受信する硬貨入金番号を含む前記硬貨入金予定額情報を印刷により出力する印刷処理と
を行う
ことを特徴とする入金受付方法。
【請求項１２】
請求項７記載の入金受付方法において、
前記工程（ｃ）では、
前記ＡＴＭのカード挿入部に挿入される前記所定の口座の銀行カードのカード情報を読み取り前記銀行のサーバに送信するカード情報送信処理と、
前記カード情報送信処理の後に、前記銀行のサーバが採番して前記ＡＴＭに送信する前記紙幣入金番号を受信する紙幣入金番号受信処理と、
前記工程（ｂ）で入金された前記紙幣の入金額と、前記工程（ａ）で受け付けた前記入金予定額とを、前記紙幣入金番号受信処理で受信する前記紙幣入金番号と関連付けて前記銀行のサーバに送信する送信処理と
を行う
ことを特徴とする入金受付方法。
【発明の詳細な説明】
【技術分野】
【０００１】
店舗に設置される現金自動預預払機を用いて入金を受け付けるシステムおよび方法に関する。
【背景技術】
【０００２】
近年では、コンビニエンスストア等の店舗に現金自動預払機（以下、ＡＴＭと称する。）が設置されるようになってきている。コンビニエンスストアは２４時間営業している所が多く、いたる所にあるので、利用者は自宅や職場に近いコンビニエンスストアに設置されているＡＴＭを用いて、いつでも自己の銀行口座への入金や当該銀行口座からの出金を行うことが可能である。
【０００３】
また、ＡＴＭはコンビニエンスストア等の店舗の売上金を入金する目的でも使われている。売上金の入金は、当該店舗の店長等が売上金用の銀行口座の入金カードをＡＴＭに挿入した後、売上金の紙幣をＡＴＭの紙幣入金部に入金することにより行われる。
【先行技術文献】
【特許文献】
【０００４】
【特許文献１】特開２００５−０３１７７３号公報
【発明の概要】
【発明が解決しようとする課題】
【０００５】
ところで、コンビニエンスストア等の店舗に設置されているＡＴＭの近くには、銀行員やＡＴＭを修理することができる人員が存在しない。このため、コンビニエンスストア等の店舗に配置されるＡＴＭの稼働率をほぼ１００％にするためには、ＡＴＭを不具合が発生し難い仕様とする必要がある。また、コンビニエンスストア等の店舗ではＡＴＭを配置するスペースが限られている。これらの事情や要求に基づき、コンビニエンスストア等の店舗に配置されるＡＴＭには硬貨の入金機能が付いていないことが多い。
【０００６】
ちなみに、銀行に設置されているＡＴＭには硬貨入金機能の付いているものがあるが、そのＡＴＭは畳１畳程度の設置面積を要する大きなものである。このように大きくなる理由として、硬貨を収容するため大きなスペースが必要であることや、硬貨を分類するための装置が大がかりであることが挙げられる。
【０００７】
また、硬貨を分類する装置等における硬貨の詰まりの発生は、ＡＴＭの稼働率を下げる大きな要因の一つである。また、硬貨の詰まりはかなりの頻度で発生するものであり、詰まりを無くすための装置側の改善には高額の費用がかかる。一方、銀行に設置されているＡＴＭは利用者から見える部分の裏側に硬貨を分類する装置や硬貨収納部が配置されている。このため、硬貨を分類する装置等で硬貨の詰まりが発生した場合は、利用者から見えない所で銀行員が硬貨の詰まりを解消するための作業を行うことができる。しかしながら、コンビニエンスストア等の店舗では硬貨の詰まりが発生しても対応できる者が近くにいない。
【０００８】
さらに、コンビニエンスストアのＡＴＭで硬貨を扱うようにする場合、ＡＴＭの現金の充填及び回収を行う警備保障会社が硬貨を搬送する必要が生じる。硬貨は非常に重く運搬が大変であるという理由もあって、コンビニエンスストアのＡＴＭで硬貨が取り扱われていない。
【０００９】
一方、最近では、コンビニエンスストア等の店舗で売上金等のお金を硬貨の単位まで入金したいという要求が出てきている。これは、コンビニエンスストアの各店舗の売上を管轄している会社が各店舗の売上を硬貨の単位までその日のうちに知りたいと考えているからである。しかしながら、コンビニエンスストア等の店舗に設置されたＡＴＭには硬貨入金機能が付いていないので、当該店舗の店長は近くの銀行に行って売上金等の入金を行う必要があり、銀行に移動する分だけ手間がかかる。また、銀行の窓口が開いている時間帯は限られており、土日や祝日も営業していないことが殆どであることから、売上金の入金が銀行の営業時間に応じて遅くなる。
【００１０】
本発明は、このような課題を解決するためになされたもので、店舗に設置されたＡＴＭを用いて硬貨の単位までの入金を受け付けることができる入金受付システムおよび入金受付方法を提供することを目的とする。
【課題を解決するための手段】
【００１１】
上記目的を達成するため、この本発明の主要な観点によれば、店舗に配置された現金自動預払機（ＡＴＭ）と、前記ＡＴＭと通信可能である銀行のサーバとを有し、前記銀行の所定の口座への入金を受け付ける入金受付システムであって、前記ＡＴＭが、（ａ）このＡＴＭの表示装置に前記所定の口座への入金予定額の入力を要求する画面を表示させ、入力された前記入金予定額をこのＡＴＭのメモリに格納する手段と、（ｂ）前記表示装置に紙幣の入金を要求する画面を表示させ、このＡＴＭの紙幣入金部に入金される紙幣の入金額を前記メモリに格納する手段と、（ｃ）前記入金予定額と前記紙幣の入金額とを、この紙幣の入金について採番された紙幣入金番号と関連付けて前記銀行のサーバに送信する手段と、（ｄ）前記入金予定額と前記紙幣の入金額との差から硬貨入金予定額を算出し、算出された前記硬貨入金予定額を前記紙幣入金番号と関連付けて硬貨入金予定額情報を作成し出力する手段であって、前記硬貨入金予定額情報は、前記店舗に設置されたＰＯＳ端末において行われる前記硬貨入金予定額の入金に用いられるものである、前記手段とを有し、前記銀行のサーバが、（ｅ）前記ＰＯＳ端末に接続されたＰＯＳサーバから送信される硬貨入金情報を受け付けこのサーバが有するサーバ用メモリに格納する手段であって、この硬貨入金情報は、前記紙幣入金番号と関係付けられた情報と、前記硬貨入金予定額情報に対して前記ＰＯＳ端末に入金された硬貨の入金額とを含むものである、前記手段と、（ｆ）入金データテーブルを作成し出力する手段であって、この入金データテーブルは、前記手段（ｃ）により送信される前記入金予定額および前記紙幣の入金額と、前記手段（ｅ）により受け付ける硬貨の入金額とを、前記紙幣入金番号に対応させて前記サーバ用メモリに格納するものである、前記手段と、（ｇ）前記手段（ｃ）により送信される前記紙幣の入金額の情報を受け付け、受け付けた前記紙幣の入金額の情報によって前記銀行のサーバに格納された前記所定の口座の口座データを更新すると共に、前記ＰＯＳ端末内の金銭を入金するＰＯＳ用銀行口座から前記所定の口座への前記硬貨の入金額の振り込み情報を受け付け、その振り込み情報によって前記口座データを更新する手段とを有することを特徴とする入金受付システムが提供される。
【００１２】
このように、ＡＴＭは、入金予定額と紙幣の入金額とを紙幣入金番号と関連付けて銀行のサーバに送信する。また、ＡＴＭは、算出した硬貨入金予定額を紙幣入金番号に関連付けた情報である硬貨入金予定額情報を出力する。一方、銀行のサーバは、前記硬貨入金予定額情報に対してＰＯＳ端末で入金された硬貨の入金額を含む硬貨入金情報をＰＯＳサーバから受け付ける。そして、銀行のサーバは、ＡＴＭから送信される入金予定額と、ＡＴＭから送信される紙幣の入金額と、ＰＯＳサーバから送信される硬貨の入金額とを、前記紙幣入金番号に対応させてサーバ用メモリに格納して入金データテーブルを作成し、作成した入金データテーブルを出力する。例えば、前記口座の所有者のコンピュータが前記銀行のサーバが提供するネットバンキングに接続した際に、銀行のサーバは、前記入金データテーブルを口座所有者のコンピュータに出力することができる。
【００１３】
また、前記銀行のサーバが、ＡＴＭから送信される前記紙幣の入金額の情報によって前記銀行のサーバに格納された前記所定の口座の口座データを更新し、前記ＰＯＳ端末内の金銭を入金するＰＯＳ用銀行口座から前記所定の口座に前記硬貨の入金額の振り込みがあると、その振り込みに基づいて前記口座データを更新する。
【００１４】
これにより、コンビニエンスストア等の店舗に設置されているＡＴＭを用いて硬貨の単位まで入金を受け付けることができる。また、口座所有者は入金データテーブルを見ることにより、受け付けられた入金額を硬貨の単位まで知ることができる。例えばコンビニエンスストアの売上金を当該コンビニエンスストアの売上を管轄している会社の口座に前記方法で振り込むと、前記会社では、ネットバンキングに接続して前記入金データテーブルを見ることにより、前記コンビニエンスストアの売上金の入金額を硬貨の単位まで即座に知ることができる。
【００１５】
また、本発明の好ましい実施形態によれば、このシステムはさらに、（ｈ）前記ＡＴＭが、前記硬貨入金予定額と前記紙幣入金番号とを前記ＰＯＳサーバに送信する手段と、（ｉ）前記ＰＯＳ端末が、前記手段（ｄ）で出力される前記硬貨入金予定額情報を受け付けると共に、前記硬貨入金予定額情報に対してこのＰＯＳ端末に入金される前記硬貨の入金額を受け付け、受け付けた前記硬貨の入金額を前記硬貨入金予定額情報と関連付けて前記ＰＯＳサーバに送信する手段と、（ｊ）前記ＰＯＳサーバが、前記手段（ｈ）で送信されこのＰＯＳサーバで受け付ける前記硬貨入金予定額と、前記手段（ｉ）で送信されこのＰＯＳサーバで受け付ける前記硬貨の入金額とが一致しているか否かを判断し、一致している場合に前記硬貨入金情報を前記銀行のサーバに送信する手段とを有するものである。
【００１６】
また、前記銀行のサーバは口座契約マスタを有し、この口座契約マスタは硬貨による入金を可能にする硬貨入金契約の有無を契約者ごとに格納しているものであり、このシステムは、（ｋ）前記ＡＴＭが、そのカード挿入部に挿入される前記所定の口座の銀行カードのカード情報を前記銀行のサーバの前記口座契約マスタに照合し、前記カード情報が前記口座契約マスタの契約者データと一致し、且つ、その契約者データが前記硬貨入金契約を有する者である場合に、前記手段（ａ）〜（ｇ）を行うことを決定する手段をさらに有するものであることが好ましい。
【００１７】
また、このシステムは、前記店舗の売上金を前記所定の口座に入金するためのものであり、前記手段（ｆ）は、前記店舗のコンピュータ又は前記店舗の売上金を管轄する会社のコンピュータから要求があると、前記銀行のサーバが前記入金データテーブルのデータを前記店舗のコンピュータ又は前記会社のコンピュータに送信するものであることが好ましい。
【００１８】
また、前記手段（ｄ）は、前記手段（ｃ）の送信の後に、前記ＰＯＳサーバが前記紙幣入金番号と関連付けて採番し前記ＡＴＭに送信する硬貨入金番号を受信する硬貨入金番号受信処理と、前記硬貨入金番号受信処理で受信する硬貨入金番号を含む前記硬貨入金予定額情報を印刷により出力する印刷処理を行うものであることが好ましい。また、前記手段（ｃ）は、前記ＡＴＭのカード挿入部に挿入される前記所定の口座の銀行カードのカード情報を読み取り前記銀行のサーバに送信するカード情報送信処理と、前記カード情報送信処理の後に、前記銀行のサーバが採番して前記ＡＴＭに送信する前記紙幣入金番号を受信する紙幣入金番号受信処理と、前記手段（ｂ）で入金される前記紙幣の入金額と、前記工程（ａ）で受け付ける前記入金予定額とを、前記紙幣入金番号受信処理で受信する前記紙幣入金番号と関連付けて前記銀行のサーバに送信する送信処理とを行うものであることが好ましい。
【００１９】
上記目的を達成するため、この本発明の他の主要な観点によれば、店舗に配置された現金自動預払機（ＡＴＭ）と、前記ＡＴＭと通信可能である銀行のサーバとを用いて、前記銀行の所定の口座への入金を受け付ける入金受付方法であって、前記ＡＴＭが、（ａ）このＡＴＭの表示装置に前記所定の口座への入金予定額の入力を要求する画面を表示させ、入力された前記入金予定額をこのＡＴＭのメモリに格納する工程と、（ｂ）前記表示装置に紙幣の入金を要求する画面を表示させ、このＡＴＭの紙幣入金部に入金される紙幣の入金額を前記メモリに格納する工程と、（ｃ）前記入金予定額と前記紙幣の入金額とを、この紙幣の入金について採番された紙幣入金番号と関連付けて前記銀行のサーバに送信する工程と、（ｄ）前記入金予定額と前記紙幣の入金額との差から硬貨入金予定額を算出し、算出された前記硬貨入金予定額を前記紙幣入金番号と関連付けて硬貨入金予定額情報を作成し出力する工程であって、前記硬貨入金予定額情報は、前記店舗に設置されたＰＯＳ端末において行われる前記硬貨入金予定額の入金に用いられるものである、前記工程と、を行い、前記銀行のサーバが、（ｅ）前記ＰＯＳ端末に接続されたＰＯＳサーバから送信される硬貨入金情報を受け付けこのサーバが有するサーバ用メモリに格納する工程であって、この硬貨入金情報は、前記紙幣入金番号と関係付けられた情報と、前記硬貨入金予定額情報に対して前記ＰＯＳ端末に入金された硬貨の入金額とを含むものである、前記工程と、（ｆ）入金データテーブルを作成し出力する工程であって、この入金データテーブルは、前記工程（ｃ）により送信された前記入金予定額および前記紙幣の入金額と、前記工程（ｅ）により受け付けた硬貨の入金額とを、前記紙幣入金番号に対応させて前記サーバ用メモリに格納するものである、前記工程と、（ｇ）前記工程（ｃ）により送信された前記紙幣の入金額の情報を受け付け、受け付けた前記紙幣の入金額の情報によって前記銀行のサーバに格納された前記所定の口座の口座データを更新すると共に、前記ＰＯＳ端末内の金銭を入金するＰＯＳ用銀行口座から前記所定の口座への前記硬貨の入金額の振り込み情報を受け付け、その振り込み情報によって前記口座データを更新する工程とを行うことを特徴とする入金受付方法が提供される。
【００２０】
このように、ＡＴＭは、入金予定額と紙幣の入金額とを紙幣入金番号と関連付けて銀行のサーバに送信する。また、ＡＴＭは、算出した硬貨入金予定額を紙幣入金番号に関連付けた情報である硬貨入金予定額情報を出力する。一方、銀行のサーバは、前記硬貨入金予定額情報に対してＰＯＳ端末で入金された硬貨の入金額を含む硬貨入金情報をＰＯＳサーバから受け付ける。そして、銀行のサーバは、ＡＴＭから送信される入金予定額と、ＡＴＭから送信される紙幣の入金額と、ＰＯＳサーバから送信される硬貨の入金額とを、前記紙幣入金番号に対応させてサーバ用メモリに格納して入金データテーブルを作成し、作成した入金データテーブルを出力する。例えば、前記口座の所有者のコンピュータが前記銀行のサーバが提供するネットバンキングに接続した際に、銀行のサーバは、前記入金データテーブルを口座所有者のコンピュータに出力することができる。
【００２１】
また、前記銀行のサーバが、ＡＴＭから送信される前記紙幣の入金額の情報によって前記銀行のサーバに格納された前記所定の口座の口座データを更新し、前記ＰＯＳ端末内の金銭を入金するＰＯＳ用銀行口座から前記所定の口座に前記硬貨の入金額の振り込みがあると、その振り込みに基づいて前記口座データを更新する。
【００２２】
これにより、コンビニエンスストア等の店舗に設置されているＡＴＭを用いて硬貨の単位まで入金を受け付けることができる。また、口座所有者は入金データテーブルを見ることにより、受け付けられた入金額を硬貨の単位まで知ることができる。例えばコンビニエンスストアの売上金を当該コンビニエンスストアの売上を管轄している会社の口座に前記方法で振り込むと、前記会社では、ネットバンキングに接続して前記入金データテーブルを見ることにより、前記コンビニエンスストアの売上金の入金額を硬貨の単位まで即座に知ることができる。
【発明の効果】
【００２３】
本発明によれば、コンビニエンスストア等の店舗に設置されたＡＴＭを用いて硬貨の単位まで入金の受け付けが可能になる。
【００２４】
なお、この発明の更なる他の特徴と顕著な効果は次の発明を実施するための最良の形態の項に記載された実施形態及び図面を参照することによって当業者に理解される。
【図面の簡単な説明】
【００２５】
【図１】本発明の一実施形態に係る入金受付システムの概略構成を示す図
【図２】ＡＴＭの概略構成を示す図
【図３】ＡＴＭの斜視図
【図４】表示装置の表示画面の例
【図５】サーバ装置の概略構成を示す図
【図６】口座契約マスタの例
【図７】ＡＴＭ、サーバ装置、ＰＯＳ端末およびＰＯＳサーバにおける処理を示すフローチャート
【図８】表示装置の表示画面の例
【図９】入金予定額データの例
【図１０】紙幣入金額データの例
【図１１】硬貨入金データの例
【図１２】硬貨入金データの例
【図１３】入金データテーブルの例
【図１４】口座データの例
【発明を実施するための形態】
【００２６】
以下、本発明の一実施形態に係る入金受付システムを図面に基づき説明する。
【００２７】
図１は本発明の一実施形態に係る入金受付システムの概略構成を示す図である。この入金受付システムは、コンビニエンスストア等の店舗Ｓに設置されているＡＴＭ１００と、当該ＡＴＭ１００に通信回線により接続されている銀行Ａのサーバ装置２００と、前記店舗Ｓに設置されているＰＯＳ端末３００と、ＡＴＭ１００、サーバ装置２００、およびＰＯＳ端末３００と通信回線により接続されているＰＯＳサーバ４００とを有する。銀行Ａは、ＡＴＭ１００を設置した銀行であっても良く、ＡＴＭ１００を設置した銀行ではないがＡＴＭ１００によって銀行取引を行うことができる銀行であっても良い。なお、周知のファイアウォール、Ｗｅｂサーバなどは図示を省略している。
【００２８】
図２は本実施形態のＡＴＭ１００の概略構成を示す図であり、図３はＡＴＭの斜視図である。図３に示すように、このＡＴＭ１００はその前面側にインターフェース部ＩＦを有する。また、図２に示すように、このＡＴＭ１００は、ＣＰＵ１１０と、ＲＡＭ１２０と、液晶ディスプレイ等の表示装置１３０と、モデムやルーター等の送受信部１４０と、複数のボタンから成る入力装置１５１と、利用者が表示装置１３０上を指で触れることにより入力を受け付ける周知のタッチパネル式入力装置１５２と、カード挿入部１５３と、紙幣入金部１５４と、印刷装置１５５と、紙幣入金データ格納部１６０と、プログラム格納部１７０とを有する。本実施形態では、インターフェース部ＩＦには、表示装置１３０と、入力装置１５１と、タッチパネル式入力装置１５２と、カード挿入部１５３と、紙幣入金部１５４と、印刷装置１５５とが設けられている。
【００２９】
入力装置１５１は、０〜９のテンキー、決定ボタン、取消ボタン、スペースボタン、デリートボタン等を有する。表示装置１３０は利用者が銀行取引を行う際に利用する画面を表示するものであり、利用者がＡＴＭ１００の前に立つと例えば図４に示すような画面を表示するようになっている。また、利用者が表示装置１３０上の「お引き出し」や「お預け入れ」の部分に触れると、タッチパネル式入力装置１５２が「お引き出し」や「お預け入れ」の入力を受け付けるようになっている。カード挿入部１５３は、金融機関のカード、即ちキャッシュカード、クレジットカード等が挿入されると、挿入されたカードのカード情報を読み取るものである。紙幣入金部１５４は図示しない蓋部を有し、この蓋部は、例えば図４の画面で「お預け入れ」が選択されると、その預け入れの銀行取引の途中で利用者に紙幣を入金させる際に開く。また、この蓋部が開いている間に利用者が紙幣入金部１５４内に紙幣を挿入すると、前記蓋部が閉まり、ＡＴＭ１００は紙幣入金部１５４に挿入された紙幣を収容する。
【００３０】
このＡＴＭ１００は、プログラム格納部１７０に、ＡＴＭ１００にそれぞれ所定の動作を行わせるカード情報受付処理部１７１、カード情報照会処理部１７２、入金予定額受付処理部１７３、紙幣入金処理部１７４、紙幣入金情報送信処理部１７５、紙幣入金データ格納処理部１７６、硬貨入金予定額送信処理部１７７、硬貨入金番号格納処理部１７８、および硬貨入金用シート印刷処理部１７９を有する。これらの機能については、ＡＴＭ１００およびサーバ装置２００が行う処理の一例（図７参照）に沿って後述する。
【００３１】
図５は本実施形態のサーバ装置２００の概略構成を示す図である。このサーバ装置２００は、ＣＰＵ２１０と、ＲＡＭ２２０と、液晶ディスプレイ等の表示装置２３０と、モデムやルーター等の送受信部２４０と、口座契約マスタ格納部２５０と、口座データ格納部２６０と、入金データ格納部２７０と、売上入金専用データベース２８０と、プログラム格納部２９０と、外部チャンネルハブＣＨとを有する。口座契約マスタ格納部２５０と口座データ格納部２６０は銀行Ａの勘定系システムの一部である。口座契約マスタ格納部２５０は、銀行Ａにおける顧客情報（名義、住所、電話番号等の個人情報）を支店コード、口座番号等と対応付けた図６に例示するような口座契約マスタを有する。この口座契約マスタは契約者ごとに硬貨入金契約がされているか否かの情報を格納している。口座データ格納部２６０は口座番号ごとに口座残高や銀行取引の履歴を格納するものである。
【００３２】
このサーバ装置２００は、プログラム格納部２９０に、コンピュータにそれぞれ所定の動作を行わせる口座契約照会処理部２９１、紙幣入金番号採番処理部２９２、入金データ格納処理部２９３、口座データ更新部２９４、および売上入金専用データベース更新部２９５を有する。これらの機能については、ＡＴＭ１００およびサーバ装置２００が行う処理の一例（図７参照）に沿って以下に説明する。なお、ここでは、店舗Ｓの店長等である利用者が店舗Ｓのその日の売上金を銀行Ａの口座ａに入金する場合について説明する。口座ａは店舗Ｓを管轄している会社の所有する口座である。
【００３３】
先ず、利用者が口座ａの振込用の銀行カードをＡＴＭ１００のカード挿入部１５３に挿入すると、ＡＴＭ１００は、カード情報受付処理部１７１により、カード情報（例えば口座番号やカード番号）を読み取る（ステップＳ１）。続いて、ＡＴＭ１００は、カード情報照会処理部１７２により、読み取ったカード情報を銀行Ａの口座契約マスタに照会するために、当該カード情報をサーバ装置２００に送信する（ステップＳ２）。
【００３４】
前記カード情報を受信したサーバ装置２００は、口座契約照会処理部２９１により、当該カード情報が口座契約マスタ格納部２５０に格納されている口座契約マスタの契約者データと一致するか否かを判断すると共に、一致した契約者データについて硬貨入金契約がされているか否かを判断する口座契約照会処理を行う（ステップＳ３）。続いて、ステップＳ３で前記カード情報が契約者データと一致し且つ当該契約者データについて硬貨入金契約がされている場合、サーバ装置２００は、紙幣入金番号採番処理部２９２により、当該入金取引について一意である紙幣入金番号を採番する紙幣入金番号採番処理を行う（ステップＳ４）。つまり、この紙幣入金番号は前記カード番号に対しても紐付いた番号となる。そして、サーバ装置２００は、口座契約照会処理部２９１により、前記カード情報が前記契約者データと一致するか否かと硬貨入金契約の有無を示す口座照会結果と紙幣入金番号とをＡＴＭ１００に送信する（ステップＳ５）。
【００３５】
ＡＴＭ１００が前記口座照会結果と紙幣入金番号を受信し、その口座照会結果で前記カード情報が前記契約者データと一致しており且つ硬貨入金契約が有る場合、ＡＴＭ１００は、入金予定額の受付処理を行う（ステップＳ６）。この処理では、ＡＴＭ１００は、入金予定額受付処理部１７３により、表示装置１３０に図８に示すような画面を表示させて利用者に入金予定額の入力を要求し、入力装置１５１によって入力される入金予定額の入力を受け付ける。また、ＡＴＭ１００は、紙幣入金データ格納処理部１７６により、受け付けた前記入金予定額と前記カード情報（カード番号等）を前記紙幣入金番号と対応付けた入金予定額データを作成して紙幣入金データ格納部１６０に格納する。前記入金予定額データは、例えば図９に示すようなものとなる。続いて、ＡＴＭ１００は、紙幣入金情報送信処理部１７５により、前記入金予定額と前記カード情報を前記紙幣入力番号と対応付けた前記入金予定額データをサーバ装置２００に送信する（ステップＳ７）。
【００３６】
また、ＡＴＭ１００は、紙幣入金処理を行う（ステップＳ８）。この処理では、ＡＴＭ１００は、紙幣入金処理部１７４により、表示装置１３０に売上金中の紙幣の入金を要求する画面を表示させると共に、紙幣入金部１５４の蓋部を開き、紙幣入金部１５４内に紙幣が挿入されると、前記蓋部を閉じて紙幣を収容する。また、ＡＴＭ１００は、挿入された紙幣の入金額およびその入金額の適否の確認を要求する画面を表示装置１３０に表示し、利用者が表示装置１３０の画面上の確認ボタンに触れると、タッチパネル式入力装置１５２によりその入力を受け付ける。そして、ＡＴＭ１００は、紙幣入金データ格納処理部１７６により、この紙幣入金処理で入金された紙幣の入金額を前記ステップＳ６で格納した前記カード情報、前記紙幣入金番号等と対応付けて紙幣入金額データを作成し紙幣入金データ格納部１６０に格納する。前記紙幣入金額データは、例えば図１０に示すようなものとなる。続いて、ＡＴＭ１００は、紙幣入金情報送信処理部１７５により、前記紙幣の入金額と前記カード情報を前記紙幣入金番号と対応付けた前記紙幣入金額データをサーバ装置２００に送信する（ステップＳ９）。
【００３７】
続いて、ＡＴＭ１００は、硬貨入金予定額送信処理部１７７により、前記入金予定額と前記紙幣の入金額との差から硬貨入金予定額を算出し（ステップＳ１０）、算出された前記硬貨入金予定額および前記紙幣入金番号をサーバ装置２００の外部チャンネルハブＣＨを経由して前記ＰＯＳサーバ４００に送信する（ステップＳ１１）。ＰＯＳサーバ４００は、そのプログラム格納部に硬貨入金番号採番処理部４２０および硬貨入金情報突合部４３０を有すると共に、硬貨入金データ格納部４４０を有する。ＰＯＳサーバ４００は、ＡＴＭ１００から前記硬貨入金予定額および前記紙幣入金番号を受信すると、硬貨入金番号採番処理部４２０により、前記紙幣入金番号に一意である硬貨入金番号を採番し（ステップＳ１２）、この硬貨入金番号を前記硬貨入金予定額および前記紙幣入金番号と対応付けた硬貨入金データを作成し（図１１参照）、作成した硬貨入金データを硬貨入金データ格納部４４０に格納する（ステップＳ１３）。また、前記硬貨入金番号を前記紙幣入金番号と関連付けてＡＴＭ１００に送信する（ステップＳ１４）。
【００３８】
続いて、ＡＴＭ１００は、硬貨入金番号格納処理部１７８により、前記硬貨入金番号を受信し、受信した硬貨入金番号を前記ステップＳ６で格納した前記カード情報、前記紙幣入金番号等と対応付けて紙幣入金データ格納部１６０に格納した後、硬貨入金用シート印刷処理部１７９および印刷装置１５５によって硬貨入金用シートを印刷する（ステップＳ１５）。この硬貨入金用シートには、硬貨入金予定額情報として、前記硬貨入金予定額と前記硬貨入金番号が記載されているか、前記硬貨入金予定額と前記硬貨入金番号の情報がバーコード化されて記載されている。なお、前記硬貨入金番号は前記紙幣入金番号と関係付けられた情報であることは言うまでもない。
【００３９】
続いて、ＰＯＳ端末３００のバーコードリーダで前記硬貨入金用シートのバーコードを読み取る等により、硬貨入金受付処理を行う（ステップＳ１６）。ＰＯＳ端末３００は、表示装置３２０と、０〜９の数字入力ボタン等を有する入力部３３０と、プログラム格納部に格納された硬貨入金受付部３４０とを有する。この硬貨入金受付処理では、ＰＯＳ端末３００は、硬貨入金受付部３４０により、バーコードリーダで読み取ったバーコードに含まれている硬貨入金予定額情報を受け付ける。そして、前記表示装置３２０に前記硬貨入金予定額が表示され、この硬貨入金予定額情報に対してＰＯＳ端末３００に入金される硬貨の入金額がＰＯＳ端末３００の入力部３３０の操作により入力される。そして、ＰＯＳ端末３００は、硬貨入金受付部３４０により、前記入力部３３０で入力される硬貨の入金額を受け付ける。続いて、ＰＯＳ端末３００は、前記硬貨の入金額を前記硬貨入金予定額情報に含まれる硬貨入金番号と共にＰＯＳサーバ４００に送信する（ステップＳ１７）。
【００４０】
続いて、ＰＯＳサーバ４００は突合処理を行う（ステップＳ１８）。この突合処理では、ＰＯＳサーバ４００は、硬貨入金情報突合部４３０により、前記ＰＯＳ端末３００から送信される前記硬貨の入金額と前記硬貨入金番号とを受信し、前記ステップＳ１３で作成した硬貨入金データに追加する（図１２参照）。また、ＰＯＳサーバ４００は、硬貨入金情報突合部４３０により、前記硬貨入金データ中の前記硬貨入金予定額と前記硬貨の入金額とが一致するか否かを判断し、一致している場合に、前記紙幣入金番号と前記硬貨の入金額とを含む前記硬貨入金データをサーバ装置２００に送信する（ステップＳ１９）。ここで、前記ステップＳ１８において、ＰＯＳサーバ４００は、ステップＳ１３で格納した硬貨入金データに対応してＰＯＳ端末３００から送信される硬貨の入金額の送信を一定期間（例えば２４時間）だけ待つ。そして、前記一定期間が経過すると、ステップＳ１３において格納した硬貨入金データをキャンセルし、キャンセルしたことをその硬貨入金データの紙幣入金番号と関連付けてサーバ装置２００に送信する。
【００４１】
続いて、サーバ装置２００は、入金データ格納処理部２９３により、ＡＴＭ１００から送信された前記入金予定額データおよび記紙幣入金額データと、ＰＯＳサーバ４００から送信された前記硬貨入金データを入金データ格納部２７０に格納する（ステップＳ２０）。また、サーバ装置２００は、売上専用データベース更新部２９５により、入金データテーブルを作成し売上入金専用データベース２８０に格納する（ステップＳ２１）。この入金データテーブルは、図１３に示すように、ＡＴＭ１００から送信された前記入金予定額データの前記入金予定額と、ＡＴＭ１００から送信された記紙幣入金額データの紙幣の入金額と、ＰＯＳサーバ４００から送信された前記硬貨入金データの硬貨の入金額とを、前記紙幣入金番号に対応させて売上専用データベース２８０に格納するものである。尚、前述のようにＰＯＳサーバ４００が硬貨入金データをキャンセルしたことをサーバ装置２００が受信すると、サーバ装置２００はそのことを前記紙幣入金番号に対応させて売上専用データベース２８０に格納する。
【００４２】
また、サーバ装置２００は、ステップＳ９でＡＴＭ１００から送信される紙幣入金額データを受け付けると、受け付けた前記紙幣の入金額の情報によってサーバ装置２００の口座データ格納部２６０に格納されている口座ａのデータを更新する（ステップＳ２２）。口座ａのデータは例えば図１４に示すようなものである。また、サーバ装置２００は、ＰＯＳ端末３００の金銭を入金するＰＯＳ用銀行口座から口座ａへの前記硬貨の入金額の振り込み情報を受け付けると、図１４に示すように、その振り込み情報によって口座データ格納部２６０に格納されている口座ａのデータを更新する。
【００４３】
そして、店舗Ｓのコンピュータ又は店舗Ｓの売上金を管轄する会社のコンピュータから要求があると、サーバ装置２００は前記入金データテーブルのデータを店舗Ｓのコンピュータ又は前記会社のコンピュータに送信する。
【００４４】
このように、本実施形態によれば、ＡＴＭ１００は、入金予定額と紙幣の入金額とを紙幣入金番号と関連付けてサーバ装置２００に送信する。また、ＡＴＭ１００は、算出した硬貨入金予定額を紙幣入金番号に関連付けた情報である硬貨入金予定額情報を印刷により出力する。一方、サーバ装置２００は、前記硬貨入金予定額情報に対してＰＯＳ端末３００で入金された硬貨の入金額を含む硬貨入金情報をＰＯＳサーバ４００から受け付ける。そして、サーバ装置２００は、ＡＴＭ１００から送信される入金予定額と、ＡＴＭ１００から送信される紙幣の入金額と、ＰＯＳサーバ３００から送信される硬貨の入金額とを、前記紙幣入金番号に対応させてサーバ装置２００の入金データ格納部２７０に格納すると共に、売上専用データベース２８０に入金データテーブルを作成し、作成した入金データテーブルを出力する。例えば、店舗Ｓのコンピュータ又は店舗Ｓの売上金を管轄する会社のコンピュータがサーバ装置２００の提供するネットバンキングに接続した際に、サーバ装置２００は、前記入金データテーブルを店舗Ｓのコンピュータ又は前記会社のコンピュータに出力することができる。
【００４５】
また、サーバ装置２００が、ＡＴＭ１００から送信される前記紙幣の入金額の情報によってサーバ装置２００に格納された前記口座ａの口座データを更新し、前記ＰＯＳ端末３００内の金銭を入金するＰＯＳ用銀行口座から前記口座ａに前記硬貨の入金額の振り込みがあると、その振り込みに基づいて前記口座ａの口座データを更新する。
【００４６】
これにより、コンビニエンスストア等の店舗Ｓに設置されているＡＴＭ１００を用いて硬貨の単位まで入金を受け付けることができる。また、口座ａの所有者は入金データテーブルを見ることにより、受け付けられた入金額を硬貨の単位まで知ることができる。例えばコンビニエンスストアの売上金を当該コンビニエンスストアの売上を管轄している会社の口座ａに前記方法で振り込むと、前記会社では、ネットバンキングに接続して前記入金データテーブルを見ることにより、前記コンビニエンスストアの売上金の入金額を硬貨の単位まで即座に知ることができる。
【００４７】
また、本実施形態では、ＡＴＭ１００が、前記硬貨入金予定額と前記紙幣入金番号とをＰＯＳサーバ４００に送信し、ＰＯＳ端末３００が、ＡＴＭ１００で印刷により出力される前記硬貨入金予定額情報を受け付けると共に、前記硬貨入金予定額情報に対してこのＰＯＳ端末３００に入金される前記硬貨の入金額を受け付け、受け付けた前記硬貨の入金額を前記硬貨入金予定額情報と関連付けて前記ＰＯＳサーバ４００に送信する。また、ＰＯＳサーバ４００が、ＡＴＭ１００から送信されＰＯＳサーバ３００で受け付ける前記硬貨入金予定額と、ＰＯＳ端末３００から送信されＰＯＳサーバ４００で受け付ける前記硬貨の入金額とが一致しているか否かを判断し、一致している場合に前記硬貨入金情報をサーバ装置２００に送信する。このように、硬貨入金予定額がＡＴＭ１００から出力されＰＯＳ端末３００により受け付けられる工程において、ＡＴＭ１００とＰＯＳ端末３００とを通信回線で接続する必要が無いので、システムの構成が簡略化される。また、ＰＯＳサーバ４００が、ＡＴＭ１００からの硬貨入金予定額とＰＯＳ端末３００からの硬貨の入金額とが一致するか否か判断し、一致している場合に前記硬貨入金情報をサーバ装置４００に送信し、一致しない場合は送信しないので、サーバ装置４００における処理の簡素化及び効率化を図る上で有利である。
【００４８】
また、本実施形態では、サーバ装置２００が口座契約マスタを有し、この口座契約マスタは硬貨による入金を可能にする硬貨入金契約の有無を契約者ごとに格納しているものである。また、このシステムは、ＡＴＭ１００が、カード挿入部１５３に挿入される口座ａの銀行カードのカード情報をサーバ装置２００の口座契約マスタに照合し、前記カード情報が前記口座契約マスタの契約者データと一致し、且つ、その契約者データが前記硬貨入金契約を有する者である場合に、ステップＳ６以降を行うことを決定している。このように、ＡＴＭ１００で前記カード情報と一致した契約者データが硬貨入金契約を有するものでない場合、ステップＳ６以降の処理を行う必要が無くなるので、システム全体の負荷を軽減する上で有利である。
【００４９】
また、本実施形態では、前記店舗Ｓの売上金を前記口座ａに入金するために行われている。また、前記店舗Ｓのコンピュータ又は前記店舗Ｓの売上金を管轄する会社のコンピュータから要求があると、前記サーバ装置２００により、前記入金データテーブルのデータが前記店舗Ｓのコンピュータ又は前記会社のコンピュータに送信される。これにより、前記店舗Ｓ又は前記会社では売上金の入金額を硬貨の単位まで即座に知ることができる。
【００５０】
また、本実施形態では、ＡＴＭ１００が前記紙幣の入金額を前記紙幣入金番号と関連付けてサーバ装置２００に送信した後に、ＰＯＳサーバ４００で前記紙幣入金番号と関連付けて採番された前記硬貨入金番号をＡＴＭ１００が受信し、受信した硬貨入金番号を含む硬貨入金予定額情報をＡＴＭ１００が印刷により出力する。硬貨入金番号は紙幣入金番号と関連付けられているので、ＡＴＭ１００が硬貨入金番号を含む硬貨入金予定額情報を印刷し、その硬貨入金予定額情報がＰＯＳ端末３００で受け付けられると、ＰＯＳ端末３００はＰＯＳサーバ４００に硬貨の入金額を紙幣入金番号と関連付けて送信することが可能となる。
【００５１】
また、本実施形態では、ＡＴＭ１００が、カード挿入部１５３に挿入される前記口座ａの銀行カードのカード情報を読み取りサーバ装置２００に送信する処理と、前記処理の後に、サーバ装置２００が採番してＡＴＭ１００に送信する前記紙幣入金番号を受信する処理とを行う。また、ＡＴＭ１００に入金される前記紙幣の入金額と、ＡＴＭ１００が受け付ける前記入金予定額とを、前記ＡＴＭ１００が前記紙幣入金番号と関連付けてサーバ装置２００に送信する。このように、ＡＴＭ１００における紙幣の入金とＰＯＳ端末３００における硬貨の入金とを紐付ける役目を有する紙幣入金番号がサーバ装置２００で採番されるので、サーバ装置２００において上記の入金処理に係る入金を確実に把握することができる。また、このように、ＡＴＭ１００における紙幣の入金とＰＯＳ端末３００における硬貨の入金とを紐付けるために紙幣入金番号が用いられ、銀行カードからの情報、例えばカード番号をＰＯＳ端末３００やＰＯＳサーバ４００において用いなくても済むので、銀行カードの情報漏洩を防止する上で極めて有利である。
【００５２】
尚、本実施形態では、ステップＳ１５でＡＴＭ１００が硬貨入金用シートを印刷するものを示した。これに対し、ステップＳ１５でＡＴＭ１００が表示装置１３０上に前記バーコードを表示させ、そのバーコードをＰＯＳ端末３００に付属しているワイヤレスのハンディ端末で読み取るように構成することも可能である。この場合、ＡＴＭ１００における印刷が不要になるので、装置の簡素化や効率化を図る上で極めて有利である。
【００５３】
また、ＡＴＭ１００とＰＯＳ端末３００とを通信回線で接続し、ＡＴＭ１００からＰＯＳ端末３００に前記硬貨入金予定額と前記硬貨入金番号の情報を送信することも可能である。
【００５４】
尚、本実施形態では、ステップＳ１２で硬貨入金番号が採番され、ＡＴＭ１００により出力されＰＯＳ端末３００により受け付けられる硬貨入金予定額情報に硬貨入金番号を含めると共に、ＰＯＳサーバ４００ではＡＴＭ１００から受信する硬貨入金予定額とＰＯＳ端末３００から受信する硬貨の入金額とを硬貨入金番号に基づいて突合するようにしている。これに対し、ステップＳ１２で硬貨入金番号を採番せずに、それ以後の各ステップで硬貨入金番号の代わりに紙幣入金番号を用いることも可能であり、この場合でも前述と同様の作用効果を奏する。
【００５５】
尚、本実施形態では、ステップＳ１８において、ＰＯＳサーバ４００がＰＯＳ端末３００からの硬貨の入金額とＡＴＭ１００からの硬貨入金予定額とが一致するか否かを判断し、一致する場合だけ、ＰＯＳ端末３００からの硬貨の入金額をサーバ装置３００に送信するようにしている。これに対し、前記一致するか否かの判断を行わずに、前記ＰＯＳ端末３００からの硬貨の入金額を紙幣入金番号と共に前記硬貨入金データとしてサーバ装置２００に送信することも可能である。
【００５６】
尚、この発明は上記一実施形態に限定されるものではなく、発明の要旨を変更しない範囲で種々変形可能である。
【符号の説明】
【００５７】
１００…ＡＴＭ、１１０…ＣＰＵ、１２０…ＲＡＭ、１３０…表示装置、１４０…送受信部、１５１…入力装置、１５２…タッチパネル入力装置、１５３…カード挿入部、１５４…紙幣入金部、１５５…印刷装置、１６０…紙幣入金データ格納部、１７０…プログラム格納部、１７１…カード情報受付処理部、１７２…カード情報照会処理部、１７３…入金予定額受付処理部、１７４…紙幣入金処理部、１７５…紙幣入金情報送信処理部、１７６…紙幣入金データ格納処理部、１７７…硬貨入金予定額送信処理部、１７８…硬貨入金番号格納処理部、１７９…硬貨入金用シート印刷処理部、２００…サーバ装置、２１０…ＣＰＵ、２２０…ＲＡＭ、２３０…表示装置、２４０…送受信部、２５０…口座契約マスタ格納部、２６０…口座データ格納部、２７０…入金データ格納部、２８０…売上入金専用データベース、２９０…プログラム格納部、２９１…口座契約照会処理部、２９２…紙幣入金番号採番処理部、２９３…入金データ格納処理部、２９４…口座データ更新部、２９５…売上専用データベース更新部、３００…ＰＯＳ端末、３１０…送受信部、３２０…表示装置、３３０…入力部、３４０…硬貨入金受付部、４００…ＰＯＳサーバ、４１０…送受信部、４２０…硬貨入金番号採番処理部、４３０…硬貨入金情報突合部、４４０…硬貨入金データ格納部、Ｓ…店舗、ＩＦ…インターフェース。
【図１】
0005451701.tif 000002
【図２】
0005451701.tif 000003
【図３】
0005451701.tif 000004
【図４】
0005451701.tif 000005
【図５】
0005451701.tif 000006
【図６】
0005451701.tif 000007
【図７】
0005451701.tif 000008
【図８】
0005451701.tif 000009
【図９】
0005451701.tif 000010
【図１０】
0005451701.tif 000011
【図１１】
0005451701.tif 000012
【図１２】
0005451701.tif 000013
【図１３】
0005451701.tif 000014
【図１４】
0005451701.tif 000015